(57)【要約】【課題】一人、多数、顔、各々が動く時等、それぞれ一定した寸法で撮ろうとすると、焦点、拡大レンズを駆使して撮るが、玄人と素人では映像に技術の差が生じる。【解決手段】図１は移動する同じ寸法の被写体で、主点（Ｐ）を変える事で正対した被写体の全体面が同じ大きさで撮影できる説明図で被写体面（Ｙ）：被写体主点距離（Ｗ）＝結像面（Ｘ）：　主点距離（ｂ）は比例し、被写体距離（Ｔ）＝Ｗ＋ｂに成るので、ｂ＝Ｔ÷（（１÷（Ｘ÷Ｙ））＋１）の式が成立し、Ｘは３５ｍｍの撮影装置、Ｔは焦点調整部にセンサを設置して被写体距離を把握し、Ｙは寸法を指定するスイッチを設けて指定する事で、前記の式で計算し希望の被写体面（Ｙ）の寸法に必要な主点距離（ｂ）が解かり、拡大レンズを動かし主点（Ｐ）を移動させ、その距離に合わす事で希望する寸法の映像が得られ、撮りたいと思う映像を具体的数値にして、撮影装置に知らせ実行させる事を特徴とする。【選択図】　図１
2004096700.tif 000002
【特許請求の範囲】
【請求項１】
被写体距離情報に対して被写体面寸法の情報を元に画角率を自動調整する被写体面寸法多重指定スイッチ。
【請求項２】
画角率情報に対して被写体面寸法の情報を元に被写体距離を自動調整する被写体面寸法多重指定スイッチ。
【請求項３】
被写体距離情報に対して被写体面寸法の情報を元に結像面寸法を自動調整する被写体面寸法多重指定スイッチ。
【請求項４】
被写体を自動追跡する自動追跡機能を有する撮影装置に被写体面寸法多重指定機能を設置した被写体面寸法多重指定スイッチ。
【発明の詳細な説明】
【０００１】
【発明の属する技術分野】
本発明は焦点機能と画角調整機能を持つ撮影装置と被写体を自動追跡する撮影装置において、被写体寸法を多重指定するための装置における被写体面寸法多重指定スイッチに関するものである。
【０００２】
【従来の技術】
従来、撮影装置を添え被写体に正対し、移動する被写体に対しては方向転換し、撮影者が希望する被写体面寸法を得るためにはそのつど、画角の調整とピンとの合う被写体距離を調整しながら追跡撮影していた。
【０００３】
【発明が解決しようとする課題】
これは次のような欠点があった。
撮影装置に添う。
被写体に対し撮影装置を正対させる。
動く被写体には方向を変える。
希望の被写体面の寸法を維持する為、焦点と画角調整をする。
以上の事を一度に作業するので撮影者の技術の差により希望の被写体面寸方の維持に個人差が出て希望の画像に成りづらかった。
【０００４】
操作が難しく、敬遠して最初から撮らない人もいた。
本発明は、以上の欠点を解決するものである。
【０００５】
【課題を解決するための手段】
ビデオカメラ（１）は３５ｍｍ換算を採用していてＣＣＤ受像面を３５ｍｍ寸法の結像面（Ｘ）に置き換え、被写体距離（Ｔ）と主点距離（ｂ）等、全てが３５ｍｍ換算された数値を採用し説明している。
【０００６】
ビデオカメラ（１）は電動で稼動するズーム機能とそれを操作するリモコンのジャックが有り３５ｍｍのワイド端から１０５ｍｍのテレ端へとボタン操作が出来、オートフォーカスとマニュアル機能の切替えが出来る。
【０００７】
ビデオカメラ（１）の焦点調整リング（２）は回転稼動することにより焦点レンズを移動させ、焦点レンズの位置毎にピントの合う被写体距離（Ｔ）が決まっているので被写体距離（Ｔ）の最至近距離５０ｃｍから無限大までの被写体に対してピントを合わせる事が出来る。
【０００８】
ビデオカメラ（１）の倍率調整リング（３）は回転稼動することにより、主点距離（ｂ）の３５ｍｍのワイド端から１０５ｍｍのテレ端の間をズームレンズと一緒に主点を移動させ、主点距離（ｂ）毎に倍率が決まっているので結像面上の映像倍率を変化させる。
【０００９】
図５の選択ボタン（４）はＯＦＦの記号とｃｍの単位で３５，５０，１００，２００，４００，８００の被写体面（Ｙ）寸法の各数値が記入されていて、ＯＦＦの位置にスイッチ（５Ａ）がＯＮ状態になるよう設置してあり、指標（５）を目標に回転する事によりスイッチ（５Ａ）が本機能の待機状態で３５ｃｍから８ｍの順に希望の被写体面（Ｙ）数値が選択できる。
【００１０】
焦点調整リング（２）にセンサ（２Ａ）が設置されていて、焦点調整リング（２）の最至近距離から無限大間を調整する時の各回転稼動量をセンサ（２Ａ）が探知し、その情報を信号としてＣＰＵ（１０）へ送信する。
【００１１】
倍率調整リング（３）にセンサ（３Ａ）が設置されていて、倍率調整リング（３）の３５ｍｍのワイド端から１０５ｍｍのテレ端を調整する時の各回転稼動量をセンサ（３Ａ）が探知し、その情報を信号としてＣＰＵ（１０）へ送信する。
【００１２】
選択ボタン（４）にはセンサ（４Ａ）とスイッチ（５Ａ）が設置されていて、選択ボタン（４）のＯＦＦが指標（５）の位置にあるときはスイッチ（５Ａ）がＣＰＵ（１０）にＯＮ情報を送信していて、３５から８００間を選択する時の各回転量をセンサ（４Ａ）が探知し、その情報を信号としてＣＰＵ（１０）へ送信する。
【００１３】
ＣＰＵ（１０）は０００５の決まっている３５ｍｍの結像面（Ｘ）寸法を数値として記憶している。
【００１４】
ＣＰＵ（１０）はセンサ（２Ａ）の信号を０００７の焦点調整リング（２）の回転量に合わせた５０ｃｍから無限大の順に被写体距離（Ｔ）数値に変換され記憶していて、焦点調整リング（２）の稼動毎にＣＰＵ（１０）は被写体距離（Ｔ）数値が認識できる。
【００１５】
ＣＰＵ（１０）はセンサ（３Ａ）の信号を０００８の倍率調整リング（３）の回転量に合わせた３５ｍｍから１０５ｍｍの順に主点距離（ｂ）数値に変換され記憶していて、倍率調整リング（３）の稼動毎にＣＰＵ（１０）は主点距離（ｂ）数値が認識できる。
【００１６】
ＣＰＵ（１０）はセンサ（４Ａ）の信号を０００９の選択ボタン（４）の回転量に合わせたＯＦＦが待機状態で３５ｃｍから８ｍの順に被写体面（Ｙ）数値に変換され記憶していて、選択ボタン（４）の稼動毎にＣＰＵ（１０）は待機状態と被写体面（Ｙ）数値が認識できる。
【００１７】
ＣＰＵ（１０）はスイッチ（５Ａ）の信号で待機状態になり、スイッチ（５Ａ）の信号がなくなると、センサ（４Ａ）からの受信を優先しセンサ（２Ａ）とセンサ（３Ａ）の受信を待っている。
【００１８】
ＣＰＵ（１０）は００１６の被写体面（Ｙ）数値相当の信号を受け、結像面（Ｘ）の３５ｍｍと００１４の被写体距離（Ｔ）数値とを基にＢ＝Ｔ÷（（１÷（Ｘ÷Ｙ））＋１）を演算し、Ｂを主点選択距離（Ｂ）に置き換え認識している。
【００１９】
ＣＰＵ（１０）は００１５の主点距離（ｂ）の数値が変わらず００１７の主点選択距離（Ｂ）が少なければ拡大スイッチ（１１）へ信号を送り、主点距離（ｂ）の数値に対して主点選択距離（Ｂ）数値が同じになるかそれ以上になった時、拡大スイッチ（１１）への送信を停止する。
【００２０】
ＣＰＵ（１０）は００１５の主点距離（ｂ）の数値が変わらず００１７の主点選択距離（Ｂ）が多ければ縮小スイッチ（１２）へ信号を送り、主点距離（ｂ）の数値に対して主点選択距離（Ｂ）数値が同じになるかそれ以下になった時、拡大スイッチ（１１）への送信を停止する。
【００２１】
拡大スイッチ（１１）は間接スイッチでＣＰＵ（１０）からの受信で接続になり、出力ジャック（７）とケーブル（８）を経由し、リモコンジャック（９）へとつながり０００６でのリモコン操作のワイド端ボタンの代わりをする。
【００２２】
縮小スイッチ（１２）は間接スイッチでＣＰＵ（１０）からの受信で接続になり、出力ジャック（７）とケーブル（８）を経由し、リモコンジャック（９）へとつながり０００６でのリモコン操作のテレ端ボタンの代わりをする。
【００２３】
【発明の実施の形態】
図１の３５ｍｍの結像面（Ｘ）から正対した３５０ｍｍの同じ寸法の面を持つＹ１、Ｙ２、Ｙ３の各被写体面（Ｙｎ）の間が　Ｔ１の１１５５ｍｍ、Ｔ２の７７０ｍｍ、Ｔ３の３０８ｍｍの各被写体距離（Ｔｎ）で、その中に同じ光軸（Ｚ）を共有している。
【００２４】
００２３の各被写体距離（Ｔｎ）内の　Ｐ１、Ｐ２、Ｐ３の各主点（Ｐｎ）を境に、ｂ１の１０５ｍｍ、ｂ２の７０ｍｍ、ｂ３の２８ｍｍの各主点距離（ｂｎ）と　Ｗ１の１０５０ｍｍ、Ｗ２の７００ｍｍ、Ｗ３の２８０ｍｍの各被写体主点距離（Ｗｎ）が含まれている。
【００２５】
図１の移動した３５０ｍｍ寸法面の各被写体面（Ｙｎ）が各主点（Ｐｎ）の移動により結像面（Ｘ）に投影された時、同じ３５０ｍｍ寸法の映像面が維持され写されている。
【００２６】
００２３と００２４の数値で
Ｙ１：Ｗ１＝Ｘ：ｂ１は３５０ｍｍ：１０５０ｍｍ＝３５ｍｍ：１０５ｍｍ
Ｙ２：Ｗ２＝Ｘ：ｂ２は３５０ｍｍ：　７００ｍｍ＝３５ｍｍ：　７０ｍｍ
Ｙ３：Ｗ３＝Ｘ：ｂ３は３５０ｍｍ：　２８０ｍｍ＝３５ｍｍ：　２８ｍｍ
以上でＹｎ：Ｗｎ＝Ｘ：ｂｎの比例式になり
Ｔ１＝Ｗ１＋ｂ１，Ｔ２＝Ｗ２＋ｂ２，Ｔ３＝Ｗ３＋ｂ３が
Ｔｎ＝Ｗｎ＋ｂｎになり
主点選択距離（Ｂ）＝Ｔ÷（（１÷（Ｘ÷Ｙ））＋１）
Ｔ＝（（１÷（Ｘ÷Ｙ））＋１）×ｂ
Ｘｎ＝Ｙ÷（（Ｔ÷ｂ）−１）
以上の式が成立する。
【００２７】
図２は縦軸ｂが主点距離（ｂ）で３５ｍｍから１０５ｍｍまでの範囲で表し、横軸Ｔが被写体距離（Ｔ）で５０ｃｍから１０００ｃｍまでの範囲で表し、３５ｃｍの被写体面線（Ｇ），５０ｃｍの被写体面線（Ｈ），１ｍの被写体面線（Ｉ），２ｍの被写体面線（Ｊ），４ｍの被写体面線（Ｋ），８ｍの被写体面線（Ｌ）で示し、各被写体面（Ｙ）を線で表したグラフ表。
【００２８】
００１４で焦点調整リング（２）が稼動し、センサ（２Ａ）が探知しステップを刻み送信し、ＣＰＵ（１０）は受信したステップの数毎に被写体距離（Ｔ）数値に変換され認識する。
【００２９】
００１５で倍率調整リング（３）が稼動、センサ（２Ａ）が探知しステップを刻み送信し、ＣＰＵ（１０）は受信したステップの数毎に主点距離（ｂ）数値に変換され認識する。
【００３０】
００１６で選択ボタン（４）が稼動、センサ（４Ａ）が探知しステップを刻み送信し、ＣＰＵ（１０）は受信したステップの数毎に被写体面（Ｙ）数値に変換され認識する。
【００３１】
初期設定として選択ボタン（４）のＯＦＦを指標（５）の位置に設定、切替スイッチ（６）をマニュアル状態にして、焦点調整リング（２）を最至近距離５０ｃｍに設定、倍率調整リング（３）はワイド端の３５ｍｍに設定する。
【００３２】
００３１で選択ボタン（４）のＯＦＦでスイッチ（５Ａ）がＯＮになりＣＰＵ（１０）へ送信し、ＣＰＵ（１０）はスイッチ（５Ａ）の受信によりリセット状態になり、センサ（２Ａ）、センサ（３Ａ）、センサ（４Ａ）の各情報をリセツトし、スイッチ（５Ａ）からの信号解除を待つ。
【００３３】
選択ボタン（４）のＯＦＦの位置から回転させ、希望の被写体面（Ｙ）寸法を指定すると、ＣＰＵ（１０）はスイッチ（５Ａ）の信号が途絶えたことで機能し、次にセンサ（４Ａ）からの信号を確認し、被写体面（Ｙ）数値を割り出す。
【００３４】
センサ（２Ａ）は００３１の初期設定で最少のステップゼロから始まるので最至近距離５００ｍｍと認識している。
【００３５】
センサ（３Ａ）は００３１の初期設定で最少のステップゼロから始まるので主点距離（ｂ）がワイド端の３５ｍｍと認識している。
【００３６】
センサ（４Ａ）は００３１の初期設定で最少のステップゼロから始まるので被写体面（Ｙ）が最小の３５０ｍｍと認識される。
【００３７】
ＣＰＵ（１０）は００３４の被写体距離（Ｔ）５００ｍｍ、００３６の被写体面（Ｙ）３５ｍｍ、０００５でのビデオカメラ（１）の結像面（Ｘ）３５ｍｍの数値を基に００２６の主点選択距離（Ｂ）＝Ｔ÷（（１÷（Ｘ÷Ｙ））＋１）式により計算する。
【００３８】
ＣＰＵ（１０）は００１９のように００３５の主点距離（ｂ）３５ｍｍを基準に００３７の結果の主点選択距離（Ｂ）数値が少なくて数値が変わらない間、拡大スイッチ（１１）へ送信し続け、主点距離（ｂ）より主点選択距離（Ｂ）が多くなるか同じに成れば送信を止める。
主点距離（ｂ）＞主点選択距離（Ｂ）→送信　拡大スイッチ（１１）
主点距離（ｂ）≦主点選択距離（Ｂ）→停止　拡大スイッチ（１１）
【００３９】
ＣＰＵ（１０）は００１９のように００３５の主点距離（ｂ）３５ｍｍを基準に００３７の結果の主点選択距離（Ｂ）数値が多くて数値が変わらない間、縮小スイッチ（１２）へ送信し続け、主点距離（ｂ）より主点選択距離（Ｂ）が少なくなるか同じに成れば送信を止める。
主点距離（ｂ）＜主点選択距離（Ｂ）→送信　縮小スイッチ（１２）
主点距離（ｂ）≧主点選択距離（Ｂ）→停止　縮小スイッチ（１２）
【００４０】
００３３の被写体面（Ｙ）の指定が３５ｃｍなら、
００３９から初期設定で主点距離（ｂ）は３５ｍｍだから、
Ｔ５００÷（（１÷（Ｘ３５÷Ｙ３５０））＋１）＝主点選択距離（Ｂ）約４５．４５で、
主点距離３５＜主点選択距離４５．４５→送信　縮小スイッチ（１２）
【００４１】
縮小スイッチ（１２）はＯＮになり、００２２によりビデオカメラ（１）のテレ端の方にズームのリモコンがＯＮになり倍率調整リング（３）が稼動する。
【００４２】
００４１によりテレ端の主点距離（ｂ）１０５ｍｍ方向に移動するので００４０の主点距離３５ｍｍの数値が増え主点選択距離（Ｂ）の４５．４５に近づき００３９の主点距離４５．４５≧主点選択距離４５．４５→停止　縮小スイッチ（１２）で倍率調整リング（３）の稼動が止まり、被写体距離（Ｔ）５０ｃｍにピンとの合う被写体面（Ｙ）の寸法は３５ｃｍに成る。
【００４３】
００３３の被写体面（Ｙ）の指定が８ｍなら、
００３９から初期設定で主点距離（ｂ）は３５ｍｍだから、
Ｔ５００÷（（１÷（Ｘ３５÷Ｙ８０００））＋１）≒主点選択距離（Ｂ）２．１８で、
主点距離３５＞主点選択距離２．１８→送信　拡大スイッチ（１１）
【００４４】
拡大スイッチ（１１）はＯＮになり、００２１によりビデオカメラ（１）のワイド端の方にズームのリモコンがＯＮになり倍率調整リング（３）を稼動させようとする。
【００４５】
００４４によりワイド端の主点距離（ｂ）３５ｍｍ方向に移動しようとするがこれ以下の主点距離は無いので変わらず、００４０の主点距離３５ｍｍの数値も変わらず主点選択距離（Ｂ）の２．１８に近づけず拡大スイッチ（１１）はそのままで、被写体面寸法多重指定スイッチの範囲外になる。
【００４６】
００３３の次に切替スイッチ（６）をオートフォーカス機能の方に移行する。
【００４７】
ビデオカメラ（１）が正対した物体に対してオートフォーカスが作用し、ピントを合わせるため焦点調整リング（２）が回転稼動しピントが合って停止する。
【００４８】
ＣＰＵ（１０）は焦点調整リング（２）の稼動で被写体距離（Ｔ）の変化した数値と００３３で変化した被写体面（Ｙ）数値で主点選択距離（Ｂ）＝Ｔ÷（（１÷（Ｘ÷Ｙ））＋１）を計算する。
【００４９】
００３８か００３９と繰り返し、センサ（４Ａ）から受信があれば優先し００３３の被写体面（Ｙ）数値の割り出しから始まり、センサ（２Ａ）とセンサ（３Ａ）の受信を繰り返す。
【００５０】
以上を繰り返す事により００４７でピントが合っていて倍率調整リング（３）の稼動が止まっている時、００３３で指定した被写体面（Ｙ）寸法の映像が得られている。
【００５１】
焦点調整リング（２）と倍率調整リング（３）の役割を交換することで００２６のＴ＝（（１÷（Ｘ÷Ｙ））＋１）×ｂの式で希望の被写体面（Ｙ）寸法の映像が得られる。
【００５２】
光学ズームレンズ式でなく、デジタルズームの場合は００２６の結像面選択寸法（Ｘｎ）＝Ｙ÷（（Ｔ÷ｂ）−１）の式で結像面（Ｘ）寸法を変化させ希望の被写体面（Ｙ）寸法の映像が得られる。
【００５３】
被写体に発信装置を設置しそれに正対するよう上下、左右、平行等に駆動させ発信装置を探知し追跡する機能を合致させた、自動追跡撮影方法（平１−１３４３５１）等の撮影装置に、被写体面寸法多重指定スイッチを設定。
【００５４】
画面情報から被写体を追跡しながら撮影する装置に被写体面寸法多重指定スイッチを設定。
【００５５】
【発明の効果】
被写体に対し、一人、多数、顔、バストアップ等、最初に設定すれば動く被写体に対しても焦点、あるいは倍率を調整するだけで希望の画像を得ることができるし自動焦点機能をもつ撮影装置を使えば被写体に撮影装置を向けるだけで希望の画像を得る事ができ、動く被写体も楽に追跡撮影が出来るし部品の共通性も多く倍率調整リング機能をそのまま被写体寸法多重選択スイッチに変換することで操作が簡単になる。
【００５６】
サーキット競技等モータースポーツ、競技をする人、競技用の球類などの追跡撮影等簡単な操作で済み、動く被写体に対して有効に作用する。
【００５７】
インターネット、テレビ電話等、焦点固定レンズを使用するカメラにも操作が簡単になり、ピントを合わす事により綺麗で鮮明な画像が写せる。
【００５８】
被写体に発信装置を設置し、撮影装置に方向探知機能を付け　その発信装置に正対するよう上下、左右に稼動、平行移動等駆動すれば自動的に被写体面寸法を維持しながら自動追跡撮影することになりカメラマンが不要になる、又被写体面寸法をリモコン等で操作できるようにすれば、離れた場所から他の事をしながら自在に拡大、縮小と選択でき誰にでも自在の映像が得られるし、各装置の反応精度、速度によっては発信装置を球技のボール等に組み込むことにより、通常カメラマンが目で追えない被写体でも自動的に撮影することができ発信装置が設定可能の動くに被写体に有効に作用する。
【００５９】
００５８の効果は００５５、００５６、００５７にも有効で、家庭用ビデオカメラ購買の殆どの理由は子供の成長過程を撮るためで、学校での行事、レジャー等に多く利用される、しかしビデオ自体重く、目的の子供を追いながらの撮影操作が困難だったり、録画時間は充分あっても長時間撮影ばかりしていられず、良い瞬間を見逃す事が多かったが、００５８式で撮影すると、簡単に出来、子供が迷子になっても簡単に探すことが出来る。
【図面の簡単な説明】
【図１】移動しても結像面（Ｘ）に写る３５０ｍｍ寸法の被写体面は変化しない説明図である。
【図２】図１を基にした各寸法をもつ被写体面で横軸Ｔの被写体距離数と縦軸ｂの各主点距離数を各線で示した表の説明図である。
【図３】本発明の被写体面寸法多重指定スイッチの全体ブロック図である。
【図４】ビデオカメラ（１）に被写体面寸法多重指定スイッチを設置した説明図である。
【図５】図４の指標（５）と指定対象となる選択ボタン（４）のＯＦＦと各寸法を表示した説明図である。
【符号の説明】
１　　リモコンの出来る電動ズームレンズとオートフォーカス機能があり結像面（Ｘ）が３５ｍｍの　ビデオカメラ
２　　結像面（Ｘ）上の投影画像の焦点を調節する　焦点調整リング
２Ａ　焦点調整リング（２）の稼動量情報をＣＰＵへ送信する　センサ
３　　ズームレンズをワイド端、テレ端と移動させる　倍率調整リング
３Ａ　倍率調整リング（３）の稼動量情報をＣＰＵへ送信する　センサ
４　　被写体面寸法を指定しオンオフの切替え兼用　選択ボタン
４Ａ　選択ボタン（４）の稼動量情報をＣＰＵへ送信する　センサ
５　　選択ボタン（４）の　指標
５Ａ　選択ボタン（４）のＯＮ，ＯＦＦ　スイッチ
６　　マニュアルとオートフォーカスの　切替えスイッチ
７　　１１，１２の情報を外部に出力する　出力ジャック
８　　両端は差し込みジャックで情報を伝達する　ケーブル
９　　ビデオカメラのズーム用　リモコンジャック
１０　情報と記憶を基に演算比較する　ＣＰＵ
１１　受信により間接的にＯＮになる　拡大スイッチ
１２　受信により間接的にＯＮになる　縮小スイッチ
Ｂ　　ＣＰＵ（１０）のＴ÷（（１÷（Ｘ÷Ｙ））＋１）演算結果　主点選択距離
ｂ　　主点（Ｐ）から結像面（Ｘ）までの距離で　主点距離
ｂｎ　各主点（Ｐｎ）から結像面（Ｘ）までの各距離で　各主点距離
Ｐ　　移動することにより倍率が変化する光学ズームレンズの　主点
Ｐｎ　各被写体面（Ｙｎ）が移動する毎に位置の変わったＰ１，Ｐ２，Ｐ３の　各主点
Ｔ　　被写体から結像面（Ｘ）までの距離で　被写体距離
Ｔｎ　各被写体面（Ｙｎ）から結像面（Ｘ）までの各距離で　各被写体距離
Ｗ　　被写体から主点（Ｐ）までの距離で　被写体主点距離
Ｗｎ　各被写体面（Ｙｎ）から各主点（Ｐｎ）までの各距離で　各被写体主点距離
Ｘ　　フイルム面に相当し被写体の像を投影する一定寸法の　結像面
Ｘｎ　被写体面（Ｙ）において結像面の寸法が変化した　結像面選択寸法
Ｙ　　撮影される被写体で結像面に投影される時の被写体の寸法面が変化せず、維持され写される　被写体面
Ｙｎ　被写体で結像面では３５０ｍｍの寸法を維持し移動するＹ１，Ｙ２，Ｙ３の　各被写体面
Ｚ　　各被写体面（Ｙｎ）と結像面（Ｘ）間に共有する　光軸
Ｇ　　移動する被写体に対し結像面で３５ｃｍの被写体面（Ｙ）を維持させ写す時の被写体距離数と主点距離数を表した線
Ｈ　　移動する被写体に対し結像面で５０ｃｍの被写体面（Ｙ）を維持させ写す時の被写体距離数と主点距離数を表した線
Ｉ　　移動する被写体に対し結像面で１ｍの被写体面（Ｙ）を維持させ写す時の被写体距離数と主点距離数を表した線
Ｊ　　移動する被写体に対し結像面で２ｍの被写体面（Ｙ）を維持させ写す時の被写体距離数と主点距離数を表した線
Ｋ　　移動する被写体に対し結像面で４ｍの被写体面（Ｙ）を維持させ写す時の被写体距離数と主点距離数を表した線
Ｌ　　移動する被写体に対し結像面で８ｍの被写体面（Ｙ）を維持させ写す時の被写体距離数と主点距離数を表した線
【図１】
2004096700.tif 000003
【図２】
2004096700.tif 000004
【図３】
2004096700.tif 000005
【図４】
2004096700.tif 000006
【図５】
2004096700.tif 000007